(57)【特許請求の範囲】
【請求項１】
枠状胴体と、この枠状胴体の先端部に固定的に外嵌合するキャップ状の係合頭部とから成る錠前用デッドボルトの構造に於いて、前記枠状胴体の挿入された先端部と係合頭部の内壁面との間に設定した間隙に板状の抑え片を固定的に嵌め込み、この抑え片は、前記間隙に固定的に入り込む一端部２１ａと、この一端部２１ａに連設すると共に前記係合頭部の水平壁１３から垂直方向に突出するように折曲形成され、かつ室外側から室内方向へとデッドボルトに対して工具による外圧が加わった時、デッド窓付近の錠箱の幅広垂直壁に側圧力が加わる他端部２１ｂとから成ることを特徴とする錠前用デッドボルトの構造。
【請求項２】
枠状胴体と、この枠状胴体の先端部に固定的に外嵌合するキャップ状の係合頭部とから成る錠前用デッドボルトの構造に於いて、前記枠状胴体の壁に小嵌合部を形成し、この小嵌合部に抑え片を固定的に嵌め込み、この抑え片は、室外側から室内方向へとデッドボルトに対して工具による外圧が加わった時、デッド窓付近の錠箱の幅広垂直壁に側圧力が加わるように係合頭部の水平壁から突出する抑え突起部分と、この抑え突起部分の端面に連設し、前記小嵌合部に嵌入する差込み部とを有していることを特徴とする錠前用デッドボルトの構造。
【請求項３】
枠状胴体と、この枠状胴体の先端部に固定的に外嵌合するキャップ状の係合頭部とから成る錠前用デッドボルトの構造に於いて、前記枠状胴体の挿入された先端部と係合頭部の内壁面との間に設定した間隙に板状の抑え片を固定的に嵌め込み、この抑え片は、室外から室内方向へとデッドボルトに対して工具による外圧が加わった時、デッド窓付近の錠箱の幅広垂直壁に側圧力が加わることができるように係合頭部の上壁から突出する抑え突起部分を有しており、さらに、前記枠状胴体内には後端部に抑え突出部を有する補強板が固定的に組み込まれており、この補強板の抑え突出部は、錠箱の側壁に側圧力が加わることができるように係合頭部の下壁から突出することを特徴とする錠前用デッドボルトの構造。
【請求項４】
請求項３に於いて、枠状胴体の左右の対向側壁には、下方にヒレ状に連設する側圧用抑え突出部が形成され、これらの抑え突出部３２，３２内に補強板の後端部に折曲形成された抑え突出部が位置していることを特徴とする錠前用デッドボルトの構造。
【請求項５】
枠状胴体と、この枠状胴体の先端部に固定的に外嵌合するキャップ状の係合頭部とから成る錠前用デッドボルトの構造に於いて、前記枠状胴体の挿入された先端部と係合頭部の内壁面との間に設定した間隙に板状の抑え片を固定的に嵌め込み、この抑え片は、室外から室内方向へとデッドボルトに対して工具による外圧が加わった時、デッド窓付近の錠箱の幅広垂直壁に側圧力が加わるように係合頭部の水平壁から突出する抑え突起部分を有し、さらに、前記枠状胴体には先端部から後端部に至るまで芯棒が組み込まれていることを特徴とする錠前用デッドボルトの構造。
【発明の詳細な説明】
【０００１】
【発明の属する技術分野】
本発明は開閉戸に取り付けられる錠前用デッドボルトの構造に関する。
【０００２】
【従来の技術】
泥棒が留守宅に侵入する場合、ピッキング行為だけではなく、バールを用いて錠箱を破壊することもある。泥棒が錠箱を破壊する場合に、ストライク側に突出したデッドボルトが障害となっているから、普通一般にデッド窓を有する錠箱の前壁と戸枠のたて枠との間の隙間にバールの先端部を無理やり差し込み、かつ、デッドボルトに対して錠箱のケース身の室内側に向かって「ドーン、ドーン」と力を入れてこじ開けようとする。この場合デッドボルトに交差した側圧力がケース身ａのデッド窓ｂの縁部ｃに集中してかかるので、図１６で示すようにケース身ａが破壊する。
【０００３】
この破壊現象は、前記縁部ｃの上下の縁部分が対角線方向に裂け、その結果、ケース身ａの縁部（アングル部分）がケース身ａの幅広垂直壁ｄの外壁面から盛り上るように変形する。また、デッドボルト自体も中途部から折れ曲がることさえある。そこで、現在、これに対する対策が要望されている。
【０００４】
【発明が解決しようとする課題】
本発明の第１の目的は、デッドボルトに交差した側圧力が錠箱のデッド窓の縁辺に集中的にかかるのを防止することができる錠前用デッドボルトの構造を提供することである。第２の目的は、部品点数を少なくして前記第１の目的を達成することである。第３の目的は、第１の目的を前提としてデッドボルト自体を強靭化することである。
【０００５】
【課題を解決するための手段】
本発明の錠前用デッドボルトの構造は、枠状胴体と、この枠状胴体の先端部に固定的に外嵌合するキャップ状の係合頭部とから成る錠前用デッドボルトの構造に於いて、前記枠状胴体の挿入された先端部と係合頭部の内壁面との間に設定した間隙に板状の抑え片を固定的に嵌め込み、この抑え片は、前記間隙に固定的に入り込む一端部２１ａと、この一端部２１ａに連設すると共に前記係合頭部の水平壁１３から垂直方向に突出するように折曲形成され、かつ室外側から室内方向へとデッドボルトに対して工具による外圧が加わった時、デッド窓付近の錠箱の幅広垂直壁に側圧力が加わる他端部２１ｂとから成ることを特徴とする。
【０００６】
また、本発明の錠前用デッドボルトの構造は、枠状胴体と、この枠状胴体の先端部に固定的に外嵌合するキャップ状の係合頭部とから成る錠前用デッドボルトの構造に於いて、前記枠状胴体の壁に小嵌合部を形成し、この小嵌合部に抑え片を固定的に嵌め込み、この抑え片は、室外側から室内方向へとデッドボルトに対して工具による外圧が加わった時、デッド窓付近の錠箱の幅広垂直壁に側圧力が加わるように係合頭部の水平壁から突出する抑え突起部分と、この抑え突起部分の端面に連設し、前記小嵌合部に嵌入する差込み部とを有していることを特徴とする。
【０００７】
また、本発明の錠前用デッドボルトの構造は、枠状胴体と、この枠状胴体の先端部に固定的に外嵌合するキャップ状の係合頭部とから成る錠前用デッドボルトの構造に於いて、前記枠状胴体の挿入された先端部と係合頭部の内壁面との間に設定した間隙に板状の抑え片を固定的に嵌め込み、この抑え片は、室外から室内方向へとデッドボルトに対して工具による外圧が加わった時、デッド窓付近の錠箱の幅広垂直壁に側圧力が加わることができるように係合頭部の上壁から突出する抑え突起部分を有しており、さらに、前記枠状胴体内には後端部に抑え突出部を有する補強板が固定的に組み込まれており、この補強板の抑え突出部は、錠箱の側壁に側圧力が加わることができるように係合頭部の下壁から突出することを特徴とする。
【０００８】
さらに、本発明の錠前用デッドボルトの構造は、枠状胴体と、この枠状胴体の先端部に固定的に外嵌合するキャップ状の係合頭部とから成る錠前用デッドボルトの構造に於いて、前記枠状胴体の挿入された先端部と係合頭部の内壁面との間に設定した間隙に板状の抑え片を固定的に嵌め込み、この抑え片は、室外から室内方向へとデッドボルトに対して工具による外圧が加わった時、デッド窓付近の錠箱の幅広垂直壁に側圧力が加わるように係合頭部の水平壁から突出する抑え突起部分を有し、さらに、前記枠状胴体には先端部から後端部に至るまで芯棒が組み込まれていることを特徴とする。
【０００９】
【発明の実施の形態】
図１乃至図５は、本発明の錠前用デッドボルトＸの第１実施例を示す各説明図である。図１は各部材を結合した状態の斜視図、図２は分解斜視図である。主たる各部材は、硬質の金属で出来ている。
まず、１は一枚の金属板の中央部を折り曲げることにより形成された枠状胴体である。枠状胴体１は、例えば断面或いは端面がチャンネル形状に形成されている。
【００１０】
図２を基準にして枠状胴体１の各部の構成を説明する。２は長板状の上壁で、この上壁２の後端部から中央部寄りの部位にかけて水平長孔状の第１係合部３が形成されている。また上壁２には第１係合部３より先端部側に貫通状の小嵌合部４が形成されている。５，６は上壁２に連設する左右の対向側壁で、これらの対向側壁５，６の下部には前記第１係合部３よりもやや長い水平長孔状の第２係合部７，７が一対形成されている。
【００１１】
デッドボルトＸの前記第１係合部３にはデッドカム５０の延伸係合部５１が係合し（図４を参照）、一方、前記第２係合部７，７には錠箱５２内に横設された固定支軸５３が係合する。デッドボルトＸは、図４で示すデッドカム５０の駆動力により、錠箱５２に横設した固定支軸５３に案内されながら、錠箱５２の前壁５２ａの矩形状デッド窓５４を基準にして進退動する。
なお、図４に於いて、符号５２ｂ，５２ｂは、前壁（ケース身の幅広の垂直側壁）５２ａ側を正面とした場合に錠箱５２の左右のケース側壁（ケース身の前方側壁と後方側壁）である。また、図４では本発明の特定要件に関係のない部分は省略してある。
【００１２】
図２に戻る。次に１１は枠状胴体１の先端部１ａに外嵌合するキャップ状の係合頭部である。この係合頭部１１は後端開口１２の箱型形状である。水平壁としての上壁１３の幅寸法、開口１２の横の広さは適宜に設定されているが、特に開口１２の横の広さは左右の対向側壁１４，１５の内壁面がピッタリと前記枠状胴体１の対向側壁５，６の内壁面と接合するように設定されている。これに対して左右の対向側壁１４，１５の縦寸法は、枠状胴体１の対向側壁５，６のそれよりも多少長い。
【００１３】
したがって、枠状胴体１の先端部１ａに係合頭部１１を外嵌合した場合には、枠状胴体１の上壁２の先端部上面と係合頭部１１の上壁１３の内壁面との間には、折り曲げ板状の抑え片２１が入り込むことができる間隙１８が出来る。また図４に示すように、枠状胴体１の先端部１ａに係合頭部１１を外嵌合した場合には、係合頭部１１の前壁１６の内壁面は抑え片２１を介して枠状胴体１の先端面と当接する。
【００１４】
次に前記抑え片２１は、硬質の長板を複数回適宜に折り曲げて形成されており、本実施例では、前述した係合頭部１１内の間隙１８に入り込んでいる一端部２１ａは、枠状胴体１の先端部１ａの上面並びにその先端面に面接触するように略直角に折り曲げられ、一方、係合頭部１１から突出する他端部２１ｂは、係合頭部１１の上壁１３から突出するように下向きコ字型状に折り曲げて突出形成されている。この抑え突起部分２２は、錠箱５２のケース側壁５２ｂ，５２ｂに対して直接又は他の補強板を介して間接的に側圧力を与える抑え機能を果たす。
【００１５】
また抑え片２１の抑え突起部分２２の下端面には、枠状胴体１の小嵌合部４に固定的に嵌入する垂直棒状の差込み部２３が連設している。抑え片２１のアングル状一端部２１ａから下向きコ字型状の突起部分２２までは同一の幅で連続しており、この幅は、少なくとも枠状胴体１の上壁２の幅と略同一か、又は若干突出している。本実施例では、抑え片２１の側圧機能を十分に発揮させるために、突起部分２２の幅を係合頭部１１の上壁１３の幅と略同一に設定している。
【００１６】
符号２５は枠状胴体１の対向側壁５，６の先端部側下部に嵌め込まれる所定寸法の補強板である。この補強板２５は係合頭部１１の下壁１７の内壁面に当接する。
【００１７】
上記構成に於いて、まず、抑え片２１の一端部２１ａの垂直部分を枠状胴体１の先端面に当接するようにして抑え片２１を枠状胴体に合わせる。次いで、抑え片２１の他端部２１ｂの差込み部２３を小嵌合突起４に差込み、抑え片２１を枠状胴体１に結合させる。次に補強板２５を枠状胴体１の下端部に嵌め込んだ状態で係合頭部１１を外嵌合する。そうすると、各構成部材は完全に合体する。
【００１８】
次に合体したデッドボルトＸは、例えば図５で示すように錠箱５２に取り付けられる。しかして、今仮に泥棒が錠箱の前壁（前方側壁）５２ａと図示しない戸枠のたて枠との間の隙間にバールの先端部を無理やり差し込み、かつ、デッドボルトＸに対してケース身の幅広垂直壁５２ｂ側（室内側）に向かって「ドーン、ドーン」と力を入れても、抑え片２１の抑え突起部分２２が、ケース身のデッド窓５４付近の幅広垂直壁５２ｂ内壁面に直接又は他の補強板を介してその側圧力が加わるので、ケース身のデッド窓５４の縁辺のみに集中して力が加われることが無い（側圧力の分散化）。したがって、デッド窓５４の縁辺の角部が対角方向に裂け、その縁辺が外側に盛り上るように変形を防止することができる。
【００１９】
【実施例】
本発明の実施例に於いて、枠状胴体には、端面チャンネル形状以外に、断面角筒状胴体も含まれる。また抑え片２１の他端部は下向きコ字型状に形成されているが、抑え突起部分２２は、アングル状であっても良い。次に、この欄では第２実施例乃至第４実施例について説明する。なお、これらの実施例の説明にあたって、第１実施例と同一又は同様（機能が同一）の部分には、同一又は同様の符号を付し、重複する説明を省略する。
【００２０】
図６乃至図８に示すデッドボルトＸ１の第２実施例に於いて、前記第１実施例と主に異なる点は、抑え片２１Ａの形状と、係合頭部１１Ａの大きさと、枠状胴体１Ａの上壁２に形成された抑え片用の小嵌合部４Ａ，４Ａの数である。
【００２１】
すなわち、抑え片２１Ａは、抑え突起部分２２以外の部分（特に係合頭部１１Ａに挿入される部分）を有しない。そして、下向きコ字型状の抑え突起部分２２の両端部には、一対の差込み部２３Ａ，２３Ａが連設している。したがって、枠状胴体１Ａの先端部１ａに嵌合するキャップ状の係合頭部１１Ａの大きさは、枠状胴体１Ａとの間に間隙が生じないように形成されている。また枠状胴体１Ａの先端部１ａ寄りの部位には、前記差込み部２３Ａ，２３Ａが嵌入する２個の小嵌合部４Ａ，４Ａが設けられている。このように構成しても、第１実施例と同一の目的を達することができる。
【００２２】
図９乃至図１２に示すデッドボルトＸ２の第３実施例に於いて、前記第１実施例と主に異なる点は、枠状胴体１Ｂの形状と、抑え片２１Ｂの形状と、補強板２５Ｂの形状である。
【００２３】
まず枠状胴体１Ｂの形状について説明する。３１は先端部１ａの上壁２Ｂに突設されたストッパー部で、このストッパー部３１は、上壁２Ｂの一部分を切起して形成されている。３２は左右の対向側壁５Ｂ，６Ｂの中央部から下方にヒレ状に連設する側圧用抑え突出部で、これらの抑え突出部３２，３２は前後方向にやや幅広に形成されている。
【００２４】
次に抑え片２１Ｂの形状について説明すると、この抑え片２１Ｂは断面アングル（Ｌ字型）状に形成され、図１１で示すように、一端部２１ａは間隙１８に内にその端面がストッパー部３１に突き当たるように差し込まれ、一方、垂直の他端部２１ｂは係合頭部１１Ｂの上壁１３から突出している。
【００２５】
次に補強板２５Ｂは第１実施例よりも長く、かつ、複数個の折り曲げ部分を有している。すなわち、３３は端面チャンネル形状の先端部で、この先端部３３の外壁面は係合頭部１１Ｂの先端部側の内壁面にフイット（面接触）する。また先端部３３に水平状態に連設する後端部は、途中でアングル状或いは段差状に折り曲げられている。
【００２６】
しかして、後端部のアングル状部分３４は、前述した左右の対向側壁５Ｂ，６Ｂの側圧用抑え突出部３２，３２内に挟まれた格好となっている。したがって、この第３実施例のデッドボルトＸ２は、枠状胴体１Ｂの上壁２Ｂから上方に突出する第１の抑え片２１Ｂと、一方、枠状胴体１Ｂの左右の対向側壁５Ｂ，６Ｂの端面から下方に突出する、或いは係合頭部１１Ｂの下壁１７から下方に突出する第２の抑え突出部３２，３２、又は／及び補強板２５Ｂのアングル状の後端部３４を有しているので、少なくとも第１実施例と同一の目的を達することができる。
【００２７】
なお、「又は／及び」と表現している理由は、設計如何によっては、枠状胴体１Ｂの左右の対向側壁５Ｂ，６Ｂに抑え突出部３２，３２を形成しない場合もあり得るからである。このような場合には、補強板２５Ｂのアングル状の後端部３４が露出しているので、直接的に錠箱（ケース身の幅広垂直壁）に対して側圧力を与える。
【００２８】
図１３乃至図１５に示すデッドボルトＸ３の第４実施例に於いて、前記第１実施例と主に異なる点は、第１実施例の主要部をそのまま含み、第１実施例の目的に新たな目的（デッドボルトの強靭化を図る）を加味して構成要件を限定したことである。
【００２９】
すなわち、４０はデッドボルトＸ３内に固定的設けられた芯棒で、この芯棒４０は、その両端部に突設された小突起状の係合部４０ａ，４０ａを介して枠状胴体１Ｃの後壁８に形成した後端側被係合部（例えば切欠部）４１と、抑え片２１Ｃの一端部２１ａ側の垂直部分の内壁面に形成された先端側被係合部（例えば溝部）４２にそれぞれ固定的に係合している。芯棒４０は、デッドボルトＸ３を強靭にするために焼き入れなどが施されている。なお、強靭な芯棒４０は、他の実施例にも同様に加味しても良い。
【００３０】
【発明の効果】
以上の説明から明らかなように、本発明にあっては、次に列挙するような効果がある。
（１）デッドボルトに交差した側圧力が錠箱のデッド窓の縁辺に集中してかかるのを防止することができる。したがって、錠箱が容易に損傷しない。
（２）部品点数を少なくして、本発明の第１の目的を達成することができる。
（３）芯棒が加味されている実施例の場合には、デッドボルト自体を強靭にすることができる。
【図面の簡単な説明】
図１乃至図５は本発明の第１実施例を示す各概略説明図。図６乃至図８は本発明の第２実施例を示す各概略説明図。図９乃至図１２は本発明の第３実施例を示す各概略説明図。図１３乃至図１５は本発明の第４実施例を示す各概略説明図。図１６は従来の欠点を説明する概略説明図。
【図１】第１実施例の斜視図。
【図２】分解斜視図。
【図３】図１の３−３線概略断面図。
【図４】図１の４−４線概略断面図。
【図５】第１実施例における実施形態の一例を示す概略説明図。
【図６】第２実施例を示す斜視図。
【図７】分解斜視図。
【図８】第２実施例における実施形態の一例を示す概略説明図。
【図９】第３実施例を示す斜視図。
【図１０】分解斜視図。
【図１１】要部の概略断面説明図。
【図１２】第３実施例における実施形態の一例を示す概略説明図。
【図１３】第４実施例を示す斜視図。
【図１４】分解斜視図。
【図１５】第４実施例における実施形態の一例を示す概略説明図。
【図１６】従来の欠点を説明する概略説明図。
【符号の説明】
Ｘ，Ｘ１，Ｘ２，Ｘ３…デッドボルト、１，１Ａ，１Ｂ，１Ｃ…枠状胴体、２…上壁、３…第１係合部、４，４Ａ…小嵌合部、５，５Ｂ，６，６Ｂ…対向側壁、７…第２係合部、８…後壁、１１，１１Ａ，１１Ｂ…係合頭部、１２…後端開口、１３…上壁（水平壁）、１４，１５…対向側壁、１６…前壁、１７…下壁、１８…間隙、２１，２１Ａ，２１Ｂ，２１Ｃ…抑え片、２１ａ…一端部、２１ｂ…他端部、２２…抑え突起部分、２３…差込み部、２５，２５Ｂ…補強板、３１…ストッパー部、３２…抑え突出部、３３…先端部、３４…後端部、４０…芯棒、４１…先端側被係合部、４２…後端側被係合部、５Ｏ…デッドカム、５１…係合部、５２…錠箱、５２ａ…前壁、…、５２ｂ…ケース側壁、５３…固定支軸、５４…デッド窓。
【図１】
0004130082.tif 000002
【図２】
0004130082.tif 000003
【図３】
0004130082.tif 000004
【図４】
0004130082.tif 000005
【図５】
0004130082.tif 000006
【図６】
0004130082.tif 000007
【図７】
0004130082.tif 000008
【図８】
0004130082.tif 000009
【図９】
0004130082.tif 000010
【図１０】
0004130082.tif 000011
【図１１】
0004130082.tif 000012
【図１２】
0004130082.tif 000013
【図１３】
0004130082.tif 000014
【図１４】
0004130082.tif 000015
【図１５】
0004130082.tif 000016
【図１６】
0004130082.tif 000017